(57)【要約】【課題】ＴＤＤ−ＦＤＤ  ＣＡを前提としたＤｙｎａｍｉｃ  ＴＤＤを実現すること。【解決手段】  キャリアアグリゲーション又はデュアルコネクティビティを適用して、ＦＤＤセルであるプライマリセル及びＤｙｎａｍｉｃ  ＴＤＤセルであるセカンダリセルを含む複数のセルを介して無線通信を行うユーザ端末が、前記プライマリセルから送信される制御情報と、前記Ｄｙｎａｍｉｃ  ＴＤＤセルから送信されるセル固有の下りリンク信号と、を受信する受信部と、前記制御情報に基づいて前記Ｄｙｎａｍｉｃ  ＴＤＤセルにおける１つ又は複数のサブフレームが上りリンクサブフレームか下りリンクサブフレームかを判定し、前記Ｄｙｎａｍｉｃ  ＴＤＤセルに対する動作を制御する制御部と、を有し、前記制御部は、前記Ｄｙｎａｍｉｃ  ＴＤＤセルから前記セル固有の下りリンク信号を受信するサブフレームと、上りデータの再送を行うサブフレームと、を異ならせるように制御する。【選択図】図６
2015133635.tif 000002
【特許請求の範囲】
【請求項１】
キャリアアグリゲーション又はデュアルコネクティビティを適用して、ＦＤＤセルであるプライマリセル及びＤｙｎａｍｉｃ  ＴＤＤセルであるセカンダリセルを含む複数のセルを介して無線通信を行うユーザ端末であって、
前記プライマリセルから送信される制御情報と、前記Ｄｙｎａｍｉｃ  ＴＤＤセルから送信されるセル固有の下りリンク信号と、を受信する受信部と、
前記制御情報に基づいて前記Ｄｙｎａｍｉｃ  ＴＤＤセルにおける１つ又は複数のサブフレームが上りリンクサブフレームか下りリンクサブフレームかを判定し、かつ、前記Ｄｙｎａｍｉｃ  ＴＤＤセルに対する動作を制御する制御部と、を有し、
前記制御部は、前記Ｄｙｎａｍｉｃ  ＴＤＤセルから前記セル固有の下りリンク信号を受信するサブフレームと、上りデータの再送を行うサブフレームと、を異ならせるように制御することを特徴とするユーザ端末。
【請求項２】
前記制御部は、前記制御情報に基づいて、前記セル固有の下りリンク信号を受信する下りリンクサブフレーム及び上りデータを再送するサブフレームの少なくとも一方を変更して制御することを特徴とする請求項１に記載のユーザ端末。
【請求項３】
前記制御部は、前記制御情報に基づいて、前記Ｄｙｎａｍｉｃ  ＴＤＤセルと異なるセルに、上りデータを再送するように制御することを特徴とする請求項１又は２に記載のユーザ端末。
【請求項４】
キャリアアグリゲーション又はデュアルコネクティビティを適用して、ＦＤＤセルであるプライマリセル及びＤｙｎａｍｉｃ  ＴＤＤセルであるセカンダリセルを含む複数のセルと無線通信を行うユーザ端末であって、
前記プライマリセルから送信される制御情報を受信する受信部と、
前記制御情報に基づいて前記Ｄｙｎａｍｉｃ  ＴＤＤセルにおける１つ又は複数のサブフレームが上りリンクサブフレームか下りリンクサブフレームかを判定し、かつ、前記ＴＤＤセルに対する動作を制御する制御部と、を有し、
前記制御部は、前記下りリンクサブフレームに対する送達確認信号を、前記プライマリセル以外に送信するように制御することを特徴とするユーザ端末。
【請求項５】
前記制御部は、前記制御情報に基づいて、前記Ｄｙｎａｍｉｃ  ＴＤＤセルに、前記送達確認信号を上りデータとして送信するように制御することを特徴とする請求項４に記載のユーザ端末。
【請求項６】
前記制御部は、前記制御情報に基づいて、前記Ｄｙｎａｍｉｃ  ＴＤＤセルと異なるセカンダリセルに、前記送達確認信号を上り制御情報として送信するように制御することを特徴とする請求項４又は５に記載のユーザ端末。
【請求項７】
キャリアアグリゲーション又はデュアルコネクティビティを適用してユーザ端末と無線通信を行う無線基地局であって、
前記ユーザ端末がＤｙｎａｍｉｃ  ＴＤＤセルであるセカンダリセルと接続する場合に、前記Ｄｙｎａｍｉｃ  ＴＤＤセルのサブフレーム構成を選択する選択部と、
前記サブフレーム構成に基づいて前記ユーザ端末と前記Ｄｙｎａｍｉｃ  ＴＤＤセルとの送受信を制御する制御部と、
前記サブフレーム構成を含む制御情報と、前記Ｄｙｎａｍｉｃ  ＴＤＤセルから送信されるセル固有の下りリンク信号と、をユーザ端末に通知する送信部と、を有し、
前記制御部は、前記ユーザ端末が、前記Ｄｙｎａｍｉｃ  ＴＤＤセルから前記セル固有の下りリンク信号を受信するサブフレームと、上りデータの再送を行うサブフレームと、を異ならせるように制御することを特徴とする無線基地局。
【請求項８】
キャリアアグリゲーション又はデュアルコネクティビティを適用してユーザ端末と無線通信を行う無線基地局であって、
前記ユーザ端末がＤｙｎａｍｉｃ  ＴＤＤセルであるセカンダリセルと接続する場合に、前記Ｄｙｎａｍｉｃ  ＴＤＤセルのサブフレーム構成を選択する選択部と、
前記サブフレーム構成に基づいて前記ユーザ端末と前記Ｄｙｎａｍｉｃ  ＴＤＤセルとの送受信を制御する制御部と、
前記サブフレーム構成を含む制御情報をユーザ端末に通知する送信部と、を有し、
前記制御部は、前記ユーザ端末が、前記下りリンクサブフレームに対する送達確認信号を、前記プライマリセル以外に送信するように制御することを特徴とする無線基地局。
【請求項９】
キャリアアグリゲーション又はデュアルコネクティビティを適用して、ＦＤＤセルであるプライマリセル及びＤｙｎａｍｉｃ  ＴＤＤセルであるセカンダリセルを含む複数のセルを介して無線通信を行うユーザ端末の無線通信方法であって、
前記プライマリセルから送信される制御情報と、前記Ｄｙｎａｍｉｃ  ＴＤＤセルから送信されるセル固有の下りリンク信号と、を受信する工程と、
前記制御情報に基づいて前記Ｄｙｎａｍｉｃ  ＴＤＤセルにおける１つ又は複数のサブフレームが上りリンクサブフレームか下りリンクサブフレームかを判定し、かつ、前記Ｄｙｎａｍｉｃ  ＴＤＤセルに対する動作を制御する工程と、を有し、
前記Ｄｙｎａｍｉｃ  ＴＤＤセルから前記セル固有の下りリンク信号を受信するサブフレームと、上りデータの再送を行うサブフレームと、を異ならせるように制御することを特徴とする無線通信方法。
【請求項１０】
キャリアアグリゲーション又はデュアルコネクティビティを適用して、ＦＤＤセルであるプライマリセル及びＤｙｎａｍｉｃ  ＴＤＤセルであるセカンダリセルを含む複数のセルを介して無線通信を行うユーザ端末の無線通信方法であって、
前記プライマリセルから送信される制御情報と、前記Ｄｙｎａｍｉｃ  ＴＤＤセルから送信されるセル固有の下りリンク信号と、を受信する工程と、
前記制御情報に基づいて前記Ｄｙｎａｍｉｃ  ＴＤＤセルにおける１つ又は複数のサブフレームが上りリンクサブフレームか下りリンクサブフレームかを判定し、かつ、前記Ｄｙｎａｍｉｃ  ＴＤＤセルに対する動作を制御する工程と、を有し、
前記上りリンクサブフレームで送信した上りデータの再送を、前記セル固有の下りリンク信号を受信する下りリンクサブフレームと異なるサブフレームで行うように制御することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。
【０００３】
ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００４】
ＬＴＥからのさらなる広帯域化及び高速化を目的として、例えばＬＴＥアドバンスト又はＬＴＥエンハンスメントと呼ばれるＬＴＥの後継システムが検討され、ＬＴＥ  Ｒｅｌ．１０／１１（ＬＴＥ−Ａ）として仕様化されている。
【０００５】
ＬＴＥシステム及びＬＴＥ−Ａシステムの無線通信における複信形式（duplex-mode）として、上りリンク（ＵＬ）と下りリンク（ＤＬ）を周波数で分割する周波数分割複信（ＦＤＤ：Frequency  Division  Duplex）と、上りリンクと下りリンクを時間で分割する時間分割複信（ＴＤＤ：Time  Division  Duplex）とがある。
【０００６】
ＬＴＥ  Ｒｅｌ．１０／１１のシステム帯域は、ＬＴＥシステムのシステム帯域を一単位とする少なくとも１つのコンポーネントキャリア（ＣＣ：Component  Carrier）を含んでいる。このように、複数のＣＣを集めて広帯域化することをキャリアアグリゲーション（ＣＡ：Carrier  Aggregation）という。
【０００７】
ＬＴＥ  Ｒｅｌ．１０／１１におけるキャリアアグリゲーション（ＣＡ）では、複数のＣＣ間で適用される複信形式は同一の複信形式に限られている。これに対して、例えばＬＴＥ  Ｒｅｌ．１２以降の将来の無線通信システムにおけるキャリアアグリゲーション（ＣＡ）では、複数のＣＣ間で異なる複信形式を適用することも想定される。以下、このようなキャリアアグリゲーション（ＣＡ）をＴＤＤ−ＦＤＤ  ＣＡと記す。
【０００８】
ＬＴＥのさらなる後継システムであるＬＴＥ  Ｒｅｌ．１２においては、複数のセルが異なる周波数帯（キャリア）で用いられる様々なシナリオが検討されている。複数のセルを形成する無線基地局が実質的に同一の場合には、上述のキャリアアグリゲーション（ＣＡ）を適用可能である。一方、複数のセルを形成する無線基地局が完全に異なる場合には、デュアルコネクティビティ（ＤＣ：Dual  Connectivity）を適用することが考えられる。
【０００９】
キャリアアグリゲーション（ＣＡ）はＩｎｔｒａ−ｅＮＢ  ＣＡと呼ばれることがあり、デュアルコネクティビティ（ＤＣ）はＩｎｔｅｒ−ｅＮＢ  ＣＡと呼ばれることがある。
【先行技術文献】
【非特許文献】
【００１０】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【００１１】
ＴＤＤ−ＦＤＤ  ＣＡを前提として、Ｒｅｌ．１２で検討されているＤｙｎａｍｉｃ（動的）  ＴＤＤが併用される可能性がある。ここで、ＴＤＤ−ＦＤＤ  ＣＡにおいて、セカンダリセル（ＳＣＣ）にＵＬ−ＤＬ構成に縛られないＤｙｎａｍｉｃ  ＴＤＤを採用すると、従来の再送制御（ＨＡＲＱ）をそのまま用いた場合には、データ信号の再送を所望のタイミングで実施できない、プライマリセル（ＰＣＣ）のＰＵＣＣＨリソースが逼迫するなどの課題がある。
【００１２】
本発明はかかる点に鑑みてなされたものであり、ＴＤＤ−ＦＤＤ  ＣＡを前提としたＴＤＤ  ＵＬ−ＤＬ構成に依存しないＤｙｎａｍｉｃ  ＴＤＤを実現できるユーザ端末、無線基地局及び無線通信方法を提供することを目的とする。
【課題を解決するための手段】
【００１３】
本発明の一実施の形態に係るユーザ端末は、キャリアアグリゲーション又はデュアルコネクティビティを適用して、ＦＤＤセルであるプライマリセル及びＤｙｎａｍｉｃ  ＴＤＤセルであるセカンダリセルを含む複数のセルを介して無線通信を行うユーザ端末であって、前記プライマリセルから送信される制御情報と、前記Ｄｙｎａｍｉｃ  ＴＤＤセルから送信されるセル固有の下りリンク信号と、を受信する受信部と、前記制御情報に基づいて前記Ｄｙｎａｍｉｃ  ＴＤＤセルにおける１つ又は複数のサブフレームが上りリンクサブフレームか下りリンクサブフレームかを判定し、かつ、前記Ｄｙｎａｍｉｃ  ＴＤＤセルに対する動作を制御する制御部と、を有し、前記制御部は、前記Ｄｙｎａｍｉｃ  ＴＤＤセルから前記セル固有の下りリンク信号を受信するサブフレームと、上りデータの再送を行うサブフレームと、を異ならせるように制御する。
【発明の効果】
【００１４】
本発明によれば、ＴＤＤ−ＦＤＤ  ＣＡを前提としたＴＤＤ  ＵＬ−ＤＬ構成に依存しないＤｙｎａｍｉｃ  ＴＤＤを実現できる。
【図面の簡単な説明】
【００１５】
【図１】ＴＤＤ−ＦＤＤ  ＣＡの概要を説明する図である。
【図２】既存のＵＬ−ＤＬ構成を説明する図である。
【図３】本実施の形態における拡張Ｄｙｎａｍｉｃ  ＴＤＤの概要を説明する図である。
【図４】非ライセンスバンドをＬＴＥに用いるＬＴＥ−Ｕを説明する図である。
【図５】従来のＨＡＲＱスケジューリングにおいて、Ｄｙｎａｍｉｃ  ＴＤＤセルでＤＬサブフレームとＵＬ  ＨＡＲＱとが衝突する場合の一例を示す図である。
【図６】本実施の形態に係る態様３．１において、拡張Ｄｙｎａｍｉｃ  ＴＤＤを利用するＳＣＣでＰＵＳＣＨ（ＨＡＲＱ−ＡＣＫ）を送信する場合の一例を示す図である。
【図７】本実施の形態に係る態様３．２において、拡張Ｄｙｎａｍｉｃ  ＴＤＤを利用するＳＣＣと異なるＳＣＣでＰＵＣＣＨ（ＨＡＲＱ−ＡＣＫ）を送信する場合の一例を示す図である。
【図８】本実施の形態に係る無線通信システムの概略構成の一例を示す図である。
【図９】本実施の形態に係る無線基地局の全体構成の一例を示す図である。
【図１０】本実施の形態に係る無線基地局の機能構成の一例を示す図である。
【図１１】本実施の形態に係るユーザ端末の全体構成の一例を示す図である。
【図１２】本実施の形態に係るユーザ端末の機能構成の一例を示す図である。
【発明を実施するための形態】
【００１６】
以下、本発明の実施の形態について、図面を参照して詳細に説明する。
【００１７】
図１は、ＴＤＤ−ＦＤＤ  ＣＡの概要を説明する図である。図１Ａは、プライマリセル（ＰＣｅｌｌ：Primary  Cell、ＰＣＣ）にＦＤＤキャリアを用いて、セカンダリセル（ＳＣｅｌｌ：Secondary  Cell、ＳＣＣ）にＤｙｎａｍｉｃ  ＴＤＤキャリアを用いたＴＤＤ−ＦＤＤ  ＣＡを示している。図１Ｂは、プライマリセル（ＰＣＣ）にＤｙｎａｍｉｃ  ＴＤＤキャリアを用いて、セカンダリセル（ＳＣＣ）にＦＤＤキャリアを用いたＴＤＤ−ＦＤＤ  ＣＡを示している。図１において、“Ｄ”はＤＬサブフレーム、“Ｕ”はＵＬサブフレーム、“Ｓ”はスペシャルサブフレーム（特殊サブフレーム）を示している。
【００１８】
ＦＤＤでは、ＤＬアサインメント及びＵＬグラントは、全ＤＬサブフレームの物理下りリンク制御チャネル（ＰＤＣＣＨ：Physical  Downlink  Control  Channel）又は拡張物理下りリンク制御チャネル（ＥＰＤＣＣＨ：Enhanced  PDCCH）で送信され、同一サブフレームで下り共有チャネル（ＰＤＳＣＨ：Physical  Downlink  Shared  Channel）またはその４ｍｓ後に上り共有チャネル（ＰＵＳＣＨ：Physical  Uplink  Shared  Channel）が送信される。
【００１９】
また、ＦＤＤでは、ユーザ端末は、全ＤＬサブフレームのＰＤＣＣＨ又はＥＰＤＣＣＨの受信を試みる。ユーザ端末は、全ＤＬサブフレームで参照信号が送信されていると仮定して、チャネル品質（ＣＱＩ：Channel  Quality  Indicator）や受信電力（ＲＳＲＰ：Reference  Signal  Received  Power）の測定を行う。
【００２０】
一方、ＴＤＤでは、ＤＬアサインメント及びＵＬグラントを送信するＤＬサブフレームはＵＬ−ＤＬ構成（UL-DL  configuration）により異なり、特定のサブフレームに限られる。ＵＬ−ＤＬ構成として、具体的には、図２に示すようにＵＬサブフレームとＤＬサブフレーム間の送信比率が異なる７つのフレーム構成であるＵＬ−ＤＬ構成＃０から＃６が規定されている。ＴＤＤでは、ＰＤＳＣＨ又はＰＵＳＣＨの送信タイミングもＵＬ−ＤＬ構成及びサブフレーム番号ごとに異なる。
【００２１】
また、ＴＤＤでは、ユーザ端末は、設定されたＵＬ−ＤＬ構成及びスペシャルサブフレーム構成に基づいて特定のＤＬサブフレームでＰＤＣＣＨ又はＥＰＤＣＣＨの受信を試みる。ユーザ端末は、設定されたＵＬ−ＤＬ構成及びスペシャルサブフレーム構成に基づいて特定のＤＬサブフレームで参照信号が送信されていると仮定して、チャネル品質（ＣＱＩ）や受信電力（ＲＳＲＰ）の測定を行う。
【００２２】
Ｒｅｌ．１２では、既存のＵＬ−ＤＬ構成を動的に切り替えることにより、ＴＤＤのフレーム構成を上下トラフィックに応じて動的に切り替えるＤｙｎａｍｉｃ  ＴＤＤ（Ｒｅｌ．１２  ｅＩＭＴＡ（enhanced  Interference  Management  and  Traffic  Adaptation）とも呼ばれる）が検討されている。Ｒｅｌ．１２  Ｄｙｎａｍｉｃ  ＴＤＤを適用する場合、フレーム構成の動的な変更により、再送制御（ＨＡＲＱ：Hybrid  Automatic  Repeat  reQuest）タイミングが動的に切り替わることを避けるため、準静的（semi-static）なＨＡＲＱタイミングを用いることが検討されている。
【００２３】
すなわち、Ｒｅｌ．１２  Ｄｙｎａｍｉｃ  ＴＤＤでは、ＨＡＲＱタイミングをＵＬ−ＤＬ構成の動的な切り替えとは独立させることで適切な制御情報の送信タイミングを保障することが検討されている。ＨＡＲＱ送信タイミングとして、例えば上りリンクはＳＩＢ１（System  Information  Block  Type1）のＴＤＤ  ＵＬ−ＤＬ構成に従い、下りリンクは上位レイヤシグナリング（ＲＲＣシグナリング、報知信号など）で通知されるＲｅｌ．８  ＴＤＤ  ＵＬ−ＤＬ構成｛２、４、５｝から選択することが議論されている。
【００２４】
なお、ＨＡＲＱのため利用される制御情報としては、例えば肯定応答（ＡＣＫ：Acknowledgement）、否定応答（ＮＡＣＫ：Negative  ACK）などの確認応答信号（再送制御信号とも呼ぶ）が用いられる。
【００２５】
したがって、ＴＤＤ−ＦＤＤ  ＣＡでクロスキャリアスケジューリングをする際には、ＨＡＲＱタイミングは上述の制限に従うことで、プライマリセル（ＰＣＣ）にＦＤＤキャリア及びＴＤＤキャリアのいずれを用いる場合であっても、Ｒｅｌ．１２  Ｄｙｎａｍｉｃ  ＴＤＤをサポートできる可能性が高い。
【００２６】
ところで、一般にマクロセルはＦＤＤで運用される場合が多いため、ＴＤＤ−ＦＤＤ  ＣＡにおいてプライマリセル（ＰＣＣ）にＦＤＤキャリアを用いる場合が多いと考えられる。また、ＴＤＤキャリアをセカンダリセル（ＳＣＣ）に用いる場合、上りトラフィックに対して通信量が大きな下りトラフィックに対応するため、セカンダリセル（ＳＣＣ）に用いるＴＤＤキャリアを下りリンクのみにするＤＬ  ｏｎｌｙ  ｃａｒｒｉｅｒが検討されている。
【００２７】
ＤＬ  ｏｎｌｙ  ｃａｒｒｉｅｒとは、ＴＤＤにおける新しいＵＬ−ＤＬ構成として、（１）１０ＤＬサブフレーム、（２）９ＤＬサブフレーム及び１  ｎｏｎ−ＵＬサブフレーム、又は（３）８ＤＬサブフレーム及び２  ｎｏｎ−ＵＬサブフレームのいずれかを規定するものである。
【００２８】
上記（２）又は（３）において、ｎｏｎ−ＵＬサブフレームは、スペシャルサブフレームのアップリンクパイロットタイムスロット（ＵｐＰＴＳ：Uplink  Pilot  Time  Slot）以外のＵＬシンボルを含まないサブフレームである。例えば、一部又は全てのシンボルをブランクとし、残りをＤＬシンボルとするサブフレームであっても良いし、スペシャルサブフレームであっても良い。
【００２９】
ＤＬ  ｏｎｌｙ  ｃａｒｒｉｅｒは、既存のＵＬ−ＤＬ構成とは異なり、ＵＬサブフレームが存在しないため、キャリアアグリゲーション（ＣＡ）におけるセカンダリセル（ＳＣＣ）としての利用が前提となる。
【００３０】
一方で、スモールセルのようにユーザ数が少ない環境では、バースト的に上りトラフィックが増大する場合もあるため、Ｄｙｎａｍｉｃ  ＴＤＤによりＵＬサブフレームとＤＬサブフレームの比率を変えることができるように構成することが好ましい。
【００３１】
しかしながら、セカンダリセル（ＳＣＣ）にＤＬ  ｏｎｌｙ  ｃａｒｒｉｅｒを適用した場合、Ｒｅｌ．１２  Ｄｙｎａｍｉｃ  ＴＤＤを適用することはできない。Ｒｅｌ．１２  Ｄｙｎａｍｉｃ  ＴＤＤでは、ＳＩＢ１で通知されるＵＬ−ＤＬ構成を基準に、ＵＬサブフレームとＤＬサブフレームとを動的に切り替える。ここで、後方互換性を確保するため、ＤＬサブフレーム又はスペシャルサブフレームをＵＬサブフレームに変更することは許容されていない。
【００３２】
一方で、上りリンクキャリアアグリゲーション（ＵＬ  ＣＡ）できないユーザ端末がＲｅｌ．１２  Ｄｙｎａｍｉｃ  ＴＤＤを適用するＣＣに接続する場合には、これらのＣＣをＤＬ  ｏｎｌｙ  ｃａｒｒｉｅｒとして扱うことが望ましい。
【００３３】
そして、Ｒｅｌ．８  ＴＤＤ  ＵＬ−ＤＬ構成には必ずＵＬサブフレームが含まれるため、Ｒｅｌ．１２  Ｄｙｎａｍｉｃ  ＴＤＤを適用する限りＵＬサブフレームが残ってしまう。また、Ｒｅｌ．１２  Ｄｙｎａｍｉｃ  ＴＤＤではＨＡＲＱタイミングに制限があり、遅延が大きい。したがって、Ｒｅｌ．１２  Ｄｙｎａｍｉｃ  ＴＤＤを適用するためには何らかの仕様化が必要となる。
【００３４】
そこで本発明者らは、ＴＤＤ−ＦＤＤ  ＣＡでプライマリセル（ＰＣＣ）にＦＤＤキャリアを用いることを前提としてＤｙｎａｍｉｃ  ＴＤＤを設計した場合、プライマリセル（ＰＣＣ）には常に制御情報を送受可能なＤＬサブフレーム及びＵＬサブフレームが存在することに着目し、ＴＤＤ−ＦＤＤ  ＣＡを前提とした拡張（enhanced）Ｄｙｎａｍｉｃ  ＴＤＤの実現方法を見出した。
【００３５】
また、発明者らは、ＴＤＤ−ＦＤＤ  ＣＡを前提とした拡張Ｄｙｎａｍｉｃ  ＴＤＤにおいて、従来の再送制御（ＨＡＲＱ）をそのまま用いた場合に、データ信号の再送を所望のタイミングで実施できない、ＰＣＣのＰＵＣＣＨリソースが逼迫するなどの課題があることを発見し、拡張Ｄｙｎａｍｉｃ  ＴＤＤに適したＨＡＲＱのスケジューリング方法を見出した。
【００３６】
以下、図３、４を参照して本実施の形態における拡張Ｄｙｎａｍｉｃ  ＴＤＤを実現するための上下サブフレーム構成法（態様１）について説明し、図５−７を参照して本実施の形態における拡張Ｄｙｎａｍｉｃ  ＴＤＤにおける再送制御（ＨＡＲＱ）の実現方法（態様２、態様３）について説明する。
【００３７】
（態様１）
図３は、本実施の形態の態様１における拡張Ｄｙｎａｍｉｃ  ＴＤＤの概要を説明する図である。拡張Ｄｙｎａｍｉｃ  ＴＤＤは、ＵＬ−ＤＬ構成に縛られない、配置フリー（Configuration-free）のＤｙｎａｍｉｃ  ＴＤＤともいうことができる。
【００３８】
なお、拡張Ｄｙｎａｍｉｃ  ＴＤＤの構成において、プライマリセル（ＰＣＣ）とセカンダリセル（ＳＣＣ）との関係性は、キャリアアグリゲーション（ＣＡ）であっても良いし、デュアルコネクティビティ（ＤＣ）であっても良い。以下の説明では一例としてキャリアアグリゲーション（ＣＡ）を適用する場合について説明する。
【００３９】
図３に示すようにセカンダリセル（ＳＣＣ）として利用するＤｙｎａｍｉｃ  ＴＤＤキャリアの制御情報をプライマリセル（ＰＣＣ）で送受することにより、Ｒｅｌ．１２  Ｄｙｎａｍｉｃ  ＴＤＤよりフレキシブルな拡張Ｄｙｎａｍｉｃ  ＴＤＤを実現することができる。プライマリセル（ＰＣＣ）を用いてあらゆる制御情報を送信することにより、例えばデータ信号、参照信号、同期信号などのセカンダリセル（ＳＣＣ）に対するあらゆる信号の送受を高い自由度で動的に変更可能とする。
【００４０】
セカンダリセル（ＳＣＣ）に対しては、ユーザ端末に対して上下リンクを時分割で用いるＴＤＤベースのキャリアを設定する。このＴＤＤベースのキャリアは、既存のＴＤＤのように特定のＵＬ−ＤＬ構成及びスペシャルサブフレーム構成を設定するのではなく、ユーザ端末はプライマリセル（ＰＣＣ）からの動的な指示に基づいて、各サブフレームがＵＬサブフレームかＤＬサブフレームかを判定する。ユーザ端末はＵＬサブフレームかＤＬサブフレームかの指示を受信していないサブフレームをＤＬサブフレームとみなしてもよい。
【００４１】
具体的には、プライマリセル（ＰＣＣ）は、ＭＡＣレイヤ又は物理レイヤのシグナリングにより、セカンダリセル（ＳＣＣ）における１つ又は複数のサブフレームがＵＬサブフレーム又はＤＬサブフレームであることをユーザ端末に通知する。したがって、ユーザ端末は、特定のＵＬ−ＤＬ構成を示す情報などでＴＤＤキャリアにおけるＵＬサブフレーム又はＤＬサブフレームをあらかじめ知らされている必要はない。このとき、ＤＬアサインメントとＰＤＳＣＨのタイミング関係、又はＵＬグラントとＰＵＳＣＨのタイミング関係は、それぞれＦＤＤの場合と同一でも良いし、他の固定のタイミング関係でも良いし、上位レイヤシグナリング（ＲＲＣシグナリング、報知信号など）を用いて通知してもよい。
【００４２】
このように構成することにより、例えばＤＬサブフレームが連続して構成され、数フレーム後にＵＬサブフレームに切り替わるようなＤｙｎａｍｉｃ  ＴＤＤを実現できる。
【００４３】
ユーザ端末は、プライマリセル（ＰＣＣ）の指示に基づいて、セカンダリセル（ＳＣＣ）におけるメジャメント（measurement）、セカンダリセル（ＳＣＣ）におけるＣＳＩ（Channel  State  Information）測定、セカンダリセル（ＳＣＣ）における同期信号、制御チャネル、データチャネル又はディスカバリ信号などのＤＬ受信、セカンダリセル（ＳＣＣ）におけるＲＡＣＨ（Random  Access  Channel）送信、セカンダリセル（ＳＣＣ）におけるＵＬ送信、セカンダリセル（ＳＣＣ）におけるＵＣＩ（Uplink  Control  Information）フィードバック又はセカンダリセル（ＳＣＣ）におけるサウンディング用信号の送信などを行う。
【００４４】
プライマリセル（ＰＣＣ）からユーザ端末に対してこれらの指示を行うことにより、ユーザ端末の確実な制御を実現できる。プライマリセル（ＰＣＣ）がマクロセルでセカンダリセル（ＳＣＣ）がスモールセルのような場合には、ユーザ端末が移動することによりセカンダリセル（ＳＣＣ）が変わるため、セカンダリセル（ＳＣＣ）から制御信号を送信する場合に比べて、プライマリセル（ＰＣＣ）から制御信号を送信する場合にはより品質を担保できるためである。
【００４５】
なお、プライマリセル（ＰＣＣ）はオペレータに割り当てられたライセンスバンド（Licensed  Band）であり、セカンダリセル（ＳＣＣ）はライセンスバンド（Licensed  Band）でも良いし、あるいは例えばIEEE  802.11シリーズに準拠した無線ＬＡＮで利用されているような非ライセンスバンド（Unlicensed  Band）であっても良い。
【００４６】
非ライセンスバンドに関して、非ライセンスバンドをＬＴＥに用いるＬＴＥ−Ｕ（LTE-Unlicensed）が提案されている。図４は非ライセンスバンドの３つの利用モードを示している。具体的には、図４Ａはキャリアアグリゲーション（ＣＡ）（又はデュアルコネクティビティ（ＤＣ））モード、図４Ｂは付加下りリンク（ＳＤＬ：Supplemental  DownLink）モード、図４Ｃはスタンドアローンモードを示している。この中で、キャリアアグリゲーション（ＣＡ）モード及び付加下りリンク（ＳＤＬ）モードは、それぞれＬＴＥのキャリアアグリゲーション（ＣＡ）を用いて、セカンダリセル（ＳＣＣ）として非ライセンスバンドを利用するものである。非ライセンスバンドにおいては、無線アクセス方式としてＳＣ−ＦＤＭＡを用いるＰＵＳＣＨにかわり、ＯＦＤＭＡを用いるＥＰＵＳＣＨを用いる可能性がある。
【００４７】
ＴＤＤ−ＦＤＤ  ＣＡと非ライセンスバンドとを組み合わせた場合に、制御情報を非ライセンスバンドで送信すると、他システムの信号との衝突によって制御信号の品質が低くなる、又は送信機会が担保されないという問題がある。これに対して、本実施の形態の態様１では、プライマリセル（ＰＣＣ）をライセンスバンドとすることで、制御情報をライセンスバンドで送信することができ、ＴＤＤ−ＦＤＤ  ＣＡと非ライセンスバンドとを組み合わせた場合であっても、制御情報の信頼性を担保できる。
【００４８】
また、ＴＤＤ−ＦＤＤ  ＣＡと非ライセンスバンドとを組み合わせることにより、非ライセンスバンドＣＣでサポートする機能を最小限に留めることができるため、システムの低コスト化が可能となる。なお、低コスト化という観点では、非ライセンスバンドＣＣをなるべくＣＣに閉じた簡易な制御にする方向もあり得る。しかし、この場合、非ライセンスバンドＣＣの動作はスタンドアローン動作に近くなるため、干渉コーディネーションなどの高度化が難しくなる。
【００４９】
ＴＤＤ−ＦＤＤ  ＣＡと非ライセンスバンドとを組み合わせた場合に、プライマリセル（ＰＣＣ）をＦＤＤとした場合は、任意のタイミングで制御情報を送受信可能となる。
【００５０】
非ライセンスバンドではあらゆるタイミングで他システムから強い干渉を受ける可能性があるため、Ｄｙｎａｍｉｃ  ＴＤＤと非ライセンスバンドとを組み合わせることにより、Ｄｙｎａｍｉｃ  ＴＤＤにおける無線基地局間干渉の影響を相対的に小さくすることができる。
【００５１】
また、ライセンスバンドでは隣接バンドへの干渉を避けるためにＤｙｎａｍｉｃ  ＴＤＤの適用が限定される場合がある。一方、非ライセンスバンドでは送信電力が限定されることはあるものの、Ｄｙｎａｍｉｃ  ＴＤＤの適用に対する制限はない。したがって、Ｄｙｎａｍｉｃ  ＴＤＤと非ライセンスバンドとを組み合わせることにより、トラフィックに合わせて最大限のＵＬリソース又はＤＬリソースを割り当てることが可能となる。
【００５２】
ＴＤＤ−ＦＤＤ  ＣＡと非ライセンスバンドとを組み合わせた場合、Ｄｙｎａｍｉｃ  ＴＤＤと非ライセンスバンドとを組み合わせた場合の双方において、非ライセンスバンドにおけるＬＴＥは後方非互換キャリア（Non-backward  compatible  carrier）となるため、より高度な拡張が許容される。
【００５３】
続いて、本実施の形態の態様１に係る拡張Ｄｙｎａｍｉｃ  ＴＤＤに適したＨＡＲＱのスケジューリング方法について説明する。以下、上りリンクのデータ信号に対するＨＡＲＱ（ＵＬ  ＨＡＲＱ）と、下りリンクのデータ信号に対するＨＡＲＱ（ＤＬ  ＨＡＲＱ）のそれぞれについて、従来のＨＡＲＱスケジューリングを用いた場合の課題と、本実施の形態に係るＨＡＲＱ構成を詳細に説明する。
【００５４】
（態様２）
本実施の形態に係る態様２は、態様１の拡張Ｄｙｎａｍｉｃ  ＴＤＤに適したＵＬ  ＨＡＲＱのスケジューリングである。従来のＨＡＲＱスケジューリングを拡張Ｄｙｎａｍｉｃ  ＴＤＤに適用する場合には、上りデータ（ＰＵＳＣＨ）の再送とＤＬサブフレームとが衝突するという課題がある。以下、上りデータの再送を、ＵＬ再送又はＰＵＳＣＨ再送とも呼ぶ。
【００５５】
上述のとおり、本実施の形態に係る態様１の拡張Ｄｙｎａｍｉｃ  ＴＤＤは、上り／下りサブフレームの割り当てについて、ユーザ端末個別のシグナリングにより通知することで、自由度の高いＤｙｎａｍｉｃ  ＴＤＤを実現するものである。一方で、拡張Ｄｙｎａｍｉｃ  ＴＤＤにおいて、セル固有のＤＬ信号（例えば、同期用や品質測定用の信号）の送信が必要である。
【００５６】
このようなセル固有のＤＬ信号をサブフレームに割り当てる方法として、周期的なＤＬサブフレーム割り当てと非周期的なＤＬサブフレーム割り当ての双方が考えられる。ＤＬサブフレーム割り当てに係るシグナリング方法としては、（Ｅ）ＰＤＣＣＨを用いて通知されても良いし、上位レイヤシグナリング（ＲＲＣシグナリング、報知信号など）を用いて通知しても良いし、それらの組み合わせとしても良い。以下、セル固有のＤＬ信号が割り当てられたＤＬサブフレームを、セル固有ＤＬサブフレームとも呼ぶ。
【００５７】
しかしながら、いずれの割り当てを用いた場合も、セル固有ＤＬサブフレーム割り当てによってＰＵＳＣＨ再送がブロックされてしまう可能性がある。特に、周期的な割り当てにおいて、この問題は顕著である。
【００５８】
図５を参照して、この問題について説明する。図５は、従来のＨＡＲＱスケジューリングにおいて、Ｄｙｎａｍｉｃ  ＴＤＤセルでセル固有ＤＬサブフレームとＵＬ  ＨＡＲＱとが衝突する場合の一例を示す図である。図５では、セル固有のＤＬ信号は、１０サブフレーム周期で割り当てられるＤＬサブフレームを用いて送信されている。
【００５９】
図５は、ユーザ端末が、ＵＬ  ｇｒａｎｔを受信したタイミングから、所定のサブフレーム（例えば、４サブフレーム）後に指定されたＵＬサブフレーム（図５の左から３番目のサブフレーム）でＰＵＳＣＨによるデータ送信を行い、当該ＰＵＳＣＨに対して無線基地局がＮＡＣＫを送信した場合の例を示す。通常、ＮＡＣＫを受信したユーザ端末は、所定の再送タイミングでＰＵＳＣＨを再送するが、図５の場合は、再送タイミングとなるサブフレームが、セル固有ＤＬサブフレームであるため、当該タイミングでＰＵＳＣＨ再送を行うことができない。ここで、再送タイミングは、上りデータの再送を行う可能性があるサブフレームのことをいう。
【００６０】
また、図５においてＰＵＳＣＨ再送を強制的に行うようにすると、セル固有のＤＬ信号と干渉することになり、同期や品質測定を適切に実施することができない。つまり、従来のＵＬ  ＨＡＲＱスケジューリングを拡張Ｄｙｎａｍｉｃ  ＴＤＤに適用する場合には、ＰＵＳＣＨ再送とセル固有ＤＬサブフレームとが同じタイミングで発生する場合に、いずれかを諦めなければならないという課題がある。
【００６１】
本実施の形態に係る態様２は、ＰＵＳＣＨ再送及びセル固有ＤＬサブフレームのタイミングが衝突しないようにＨＡＲＱスケジューリングを実施する。態様２は、さらに以下の４つに大別することができる（態様２．１−態様２．４）。
【００６２】
態様２．１では、セル固有ＤＬサブフレームを、ＵＬ再送と衝突しないタイミングで送信するようにスケジューリングする。セル固有ＤＬサブフレームを周期的に割り当てる場合には、例えばＵＬ  ＨＡＲＱが８  ｍｓ周期とすると、ＤＬサブフレームを８Ｘ  ｍｓ（８  ｍｓの倍数）周期に設定する（例えば、４０  ｍｓ周期）。そしてＵＬ  ＨＡＲＱの周期と異なるタイミングにセル固有ＤＬサブフレームを割り当てることで、衝突が回避できる。
【００６３】
また、セル固有ＤＬサブフレームを任意のサブフレームに割り当てる場合にも、上記と同様に、ＵＬ送信が発生し得ないサブフレームをＤＬサブフレームとすることで、衝突が回避できる。
【００６４】
態様２．２では、ＵＬ再送を行うサブフレームを、セル固有ＤＬサブフレームと衝突しないタイミングに変更する。例えば、再送間隔（ＰＨＩＣＨ（Physical  HARQ  Indicator  Channel）送信タイミング又はＰＵＳＣＨ送信タイミング）を変更しても良いし、非同期ＨＡＲＱを適用しても良い。ここで、非同期ＨＡＲＱとは、再送間隔が一定でないＨＡＲＱのことを表す。
【００６５】
再送間隔変更を適用する場合、シグナリングによりタイミングを通知可能にしても良いし、既存のＨＡＲＱ再送間隔と異なる所定の再送間隔を予めユーザ端末に設定しておいても良い。例えば、通常ＰＨＩＣＨを受信してから４  ｍｓ後にＰＵＳＣＨ送信を実施するが、これを５  ｍｓ後、６  ｍｓ後などに変更することができる。
【００６６】
また、ユーザ端末は、非同期ＨＡＲＱを、検出したＰＨＩＣＨがＡＣＫであり、かつＰＤＣＣＨにＵＬ再送を指示する情報が含まれる場合（例えば、ＰＤＣＣＨに含まれるＮＤＩ（New  Data  Indicator）が、新規データを指示しない場合）に実施するが、これに限られない。例えば、ユーザ端末は、ＰＨＩＣＨによらず、ＰＤＣＣＨによってＵＬ再送を判断する構成としても良い。この場合、予め非同期ＨＡＲＱの適用に関する情報をシグナリングしても良い。
【００６７】
また、非同期ＨＡＲＱを用いる場合、ＵＥはＰＵＳＣＨの送信後、所定の期間（例えば、４  ｍｓ）以降の任意のタイミングで、再送を指示するＵＬ  ｇｒａｎｔを受信する。
【００６８】
なお、再送間隔変更及び非同期ＨＡＲＱにおけるシグナリングはいずれも、（Ｅ）ＰＤＣＣＨを用いて通知されても良いし、上位レイヤシグナリング（ＲＲＣシグナリング、報知信号など）を用いて通知しても良いし、これらの組み合わせとしても良い。
【００６９】
以上の態様２．１及び態様２．２をまとめると、Ｄｙｎａｍｉｃ  ＴＤＤセルからセル固有の下りリンク信号を受信する下りリンクサブフレーム、及びＤｙｎａｍｉｃ  ＴＤＤセルから上りデータを再送するサブフレームの少なくとも一方を変更することで、両サブフレームを異ならせるように制御することが実現できる。
【００７０】
態様２．３では、再送を指定されたＣＣで行う。つまり、上りデータの初回送信は拡張Ｄｙｎａｍｉｃ  ＴＤＤセルで行うが、再送上りデータを異なるセルで実施する。ここで、再送に用いるＣＣは、ＰＣＣからのシグナリングで通知される。
【００７１】
当該シグナリングは、（Ｅ）ＰＤＣＣＨを用いて通知されても良いし、上位レイヤシグナリング（ＲＲＣシグナリング、報知信号など）を用いて通知しても良いし、これらの組み合わせとしても良い。
【００７２】
態様２．４では、拡張Ｄｙｎａｍｉｃ  ＴＤＤセルでＵＬ  ＨＡＲＱをサポートしない（無効とする）。これにより、ＵＬ再送が発生しないため、セル固有ＤＬサブフレームと衝突することが防止できる。特に、スモールセルのようなカバレッジの小さい環境では、態様２．４が好適である。
【００７３】
ＵＬ  ＨＡＲＱをサポートしないことに関する情報は、上位レイヤシグナリング（ＲＲＣシグナリング、報知信号など）で通知しても良いし、拡張Ｄｙｎａｍｉｃ  ＴＤＤではＵＬ  ＨＡＲＱを実施しないように、予めユーザ端末に設定しておいても良い。
【００７４】
なお、拡張Ｄｙｎａｍｉｃ  ＴＤＤに係るＵＬ  ＨＡＲＱのスケジューリングについては、態様２．１−態様２．４のいずれか１つを用いても良いし、態様２．１−態様２．３の組み合わせにより衝突を避けるように構成しても良い。
【００７５】
以上、本実施の形態に係る無線通信方法の態様２によれば、ＰＵＳＣＨ再送及びセル固有ＤＬサブフレームのタイミングが衝突しないようにＨＡＲＱスケジューリングを実施する。この構成によれば、同期信号や品質測定用信号などのセル固有のＤＬ信号を妨害することなく受信できるため、安定した通信を実現できる。また、上りデータ信号の再送を所望のタイミングで実施することができるため、システムのスループット低下を抑制することができる。
【００７６】
（態様３）
本実施の形態に係る態様３は、態様１の拡張Ｄｙｎａｍｉｃ  ＴＤＤに適したＤＬ  ＨＡＲＱのスケジューリングである。
【００７７】
拡張Ｄｙｎａｍｉｃ  ＴＤＤセルに係るＰＵＣＣＨ（ＨＡＲＱ−ＡＣＫ）をＰＣＣ（マクロセル）に送信することは、以下の観点で効率的ではない。まず、ＰＣＣは通常ＳＣＣより物理的に離れた箇所にあると考えられるため、必要な送信電力が大きくなり、ユーザ端末のバッテリの消費が増大してしまう。また、ユーザ端末が接続するＳＣＣ（スモールセル）が増えるほど、ＰＣＣのＰＵＣＣＨリソースが消費され、ＰＣＣのＰＵＣＣＨリソースが逼迫する。
【００７８】
一方で、ＰＣＣではなくＳＣＣにＰＵＣＣＨを送信する場合には、Ｄｙｎａｍｉｃ  ＴＤＤの動作が複雑になる。また、ＳＣＣが非ライセンスバンドであった場合、十分な品質性が担保できない。
【００７９】
以上を鑑みると、従来のＤＬ  ＨＡＲＱスケジューリングを拡張Ｄｙｎａｍｉｃ  ＴＤＤに適用する場合には、拡張Ｄｙｎａｍｉｃ  ＴＤＤセル（ＳＣＣ）のために送信されるＰＵＣＣＨを低減することが課題となる。
【００８０】
なお、ＨＡＲＱ−ＡＣＫ以外のＵＣＩについては、拡張Ｄｙｎａｍｉｃ  ＴＤＤを適用する場合でも問題は少ないと考えられる。具体的には、ＣＳＩは、ＵＬ  ｇｒａｎｔによりトリガーされ、ＰＵＳＣＨを用いて非周期に送信することができるため、ＰＵＣＣＨ以外で送信させることが可能である。また、Scheduling  RequestはＳＣＣだけのために送信するものではないため、問題とはならない。
【００８１】
本実施の形態に係る態様３は、拡張Ｄｙｎａｍｉｃ  ＴＤＤに係るＰＵＣＣＨ（ＨＡＲＱ−ＡＣＫ）をＰＣＣへできるだけ送信しないようにＨＡＲＱスケジューリングを実施する。態様３は、さらに以下の３つに大別することができる（態様３．１−態様３．３）。
【００８２】
態様３．１では、ＨＡＲＱ−ＡＣＫをＰＵＳＣＨで送信させる。ＰＣＣからＳＣＣへの下りスケジューリング（クロスキャリアスケジューリング）と同時にＵＬ  ｇｒａｎｔ相当のシグナリングを行い、ＨＡＲＱ−ＡＣＫをＰＵＳＣＨで送信させても良い。この場合、ＰＵＣＣＨを送信するタイミングで上記シグナリングにより割り当てられたＰＤＳＣＨがあれば、当該ＰＤＳＣＨを用いてＨＡＲＱ−ＡＣＫを送信することができる。ＰＵＳＣＨでのＨＡＲＱ−ＡＣＫを送信するサブフレームを指示する情報を上記シグナリングに含めてもよいし、上記シグナリングの送信タイミングを下りスケジューリングとは異なるサブフレームとし、対応するＰＤＳＣＨを示す識別子を上記シグナリングに含めてもよい。
【００８３】
また、態様３．１では、所定のサブフレームにおけるＨＡＲＱ−ＡＣＫ送信用のリソースブロックを、ＰＣＣから予め上位レイヤシグナリング（ＲＲＣシグナリング、報知信号など）でユーザ端末に通知しておくことで、ユーザ端末はＵＬ  ｇｒａｎｔなしにＨＡＲＱ−ＡＣＫをＰＵＳＣＨで送信する構成としても良い。
【００８４】
図６は、本実施の形態に係る無線通信方法において、拡張Ｄｙｎａｍｉｃ  ＴＤＤを利用するＳＣＣでＰＵＳＣＨ（ＨＡＲＱ−ＡＣＫ）を送信する場合の一例を示す図である。この例ではユーザ端末は２つのセルと接続されており、図６には、ＦＤＤを利用するＰＣＣ及び拡張Ｄｙｎａｍｉｃ  ＴＤＤを利用するＳＣＣの所定の期間のサブフレームが示されている。
【００８５】
ＰＣＣの左から１番目のＤＬサブフレームにおいて、拡張Ｄｙｎａｍｉｃ  ＴＤＤを利用するＳＣＣの左から４番目のサブフレームをＤＬサブフレームとするＤＬスケジューリングが行われる。
【００８６】
態様３．１によれば、当該ＤＬスケジューリングと同時に、４サブフレーム後にＨＡＲＱ−ＡＣＫの送信を指定する情報を明示的に通知することで、上記ＳＣＣの左から８番目のＵＬサブフレームのＰＵＳＣＨでＨＡＲＱ−ＡＣＫを送信する。
【００８７】
また、態様３．１によれば、ＰＣＣから予め、上記ＳＣＣの左から８番目のサブフレームの所定のリソースブロックをＨＡＲＱ−ＡＣＫに用いるように上位レイヤシグナリングなどで通知することで、ＵＬ  ｇｒａｎｔによらず暗黙的に上記リソースブロックにＨＡＲＱ−ＡＣＫを割り当ててＰＵＳＣＨで送信することができる。
【００８８】
態様３．２では、ＰＣＣから、ＨＡＲＱ−ＡＣＫをＰＵＣＣＨで送信するＣＣをシグナリングする。当該シグナリングは、（Ｅ）ＰＤＣＣＨを用いて通知されても良いし、上位レイヤシグナリング（ＲＲＣシグナリング、報知信号など）を用いて通知しても良いし、これらの組み合わせとしても良い。
【００８９】
図７は、本実施の形態に係る無線通信方法において、拡張Ｄｙｎａｍｉｃ  ＴＤＤを利用するＳＣＣと異なるＳＣＣでＰＵＣＣＨ（ＨＡＲＱ−ＡＣＫ）を送信する場合の一例を示す図である。この例ではユーザ端末は３つのセルと接続されており、図７には、ＦＤＤを利用するＰＣＣ、ＦＤＤを利用するＳＣＣ及び拡張Ｄｙｎａｍｉｃ  ＴＤＤを利用するＳＣＣの所定の期間のサブフレームが示されている。
【００９０】
図６と同様に、ＰＣＣの左から１番目のＤＬサブフレームにおいて、拡張Ｄｙｎａｍｉｃ  ＴＤＤを利用するＳＣＣの左から４番目のサブフレームをＤＬサブフレームとするＤＬスケジューリングが行われる。
【００９１】
また、態様３．２に基づいて、別途ＰＣＣからＨＡＲＱ−ＡＣＫをＰＵＣＣＨで送信するＣＣとしてＦＤＤを利用するＳＣＣが通知される。これにより、ユーザ端末は、ＦＤＤを利用するＳＣＣの左から８番目のＵＬサブフレームのＰＵＳＣＨでＨＡＲＱ−ＡＣＫを送信する。
【００９２】
態様３．３では、拡張Ｄｙｎａｍｉｃ  ＴＤＤセルでＤＬ  ＨＡＲＱをサポートしない（無効とする）。これにより、上りリンクでＨＡＲＱ−ＡＣＫを送信する必要がないため、拡張Ｄｙｎａｍｉｃ  ＴＤＤセルのためのＰＵＣＣＨ送信を防止できる。
【００９３】
ＤＬ  ＨＡＲＱをサポートしないことに関する情報は、上位レイヤシグナリング（ＲＲＣシグナリング、報知信号など）で通知しても良いし、拡張Ｄｙｎａｍｉｃ  ＴＤＤではＤＬ  ＨＡＲＱを実施しないように、予めユーザ端末に設定しておいても良い。
【００９４】
なお、拡張Ｄｙｎａｍｉｃ  ＴＤＤに係るＤＬ  ＨＡＲＱのスケジューリングについては、態様３．１−態様３．３のいずれか１つを用いても良いし、態様３．１及び態様３．２の組み合わせにより拡張Ｄｙｎａｍｉｃ  ＴＤＤセルのために送信されるＰＵＣＣＨを低減するように構成しても良い。
【００９５】
以上、本実施の形態に係る無線通信方法の態様３によれば、拡張Ｄｙｎａｍｉｃ  ＴＤＤセル（ＳＣＣ）のためにＰＣＣに送信されるＰＵＣＣＨを低減するようにＨＡＲＱスケジューリングを実施する。この構成によれば、ユーザ端末の上りリンクに係る送信電力を低減することができると共に、ＨＡＲＱ−ＡＣＫをＦＤＤセル（ＰＣＣ）以外にオフロードすることで、ＰＣＣのＰＵＣＣＨリソースの使用を抑えることができる。また、拡張Ｄｙｍａｎｉｃ  ＴＤＤセルでＰＵＣＣＨを送信することがないため、Ｄｙｎａｍｉｃ  ＴＤＤの動作が簡潔となり、ユーザ端末の実装コストを低減することができる。
【００９６】
なお、拡張Ｄｙｎａｍｉｃ  ＴＤＤに係るＨＡＲＱのスケジューリングについては、態様２及び３のいずれか１つを用いても良いし、態様２及び３の両方を用いてＵＬ  ＨＡＲＱ及びＤＬ  ＨＡＲＱの両方に関して好適なスケジューリングを実施する構成としても良い。
【００９７】
（無線通信システムの構成）
以下、本実施の形態に係る無線通信システムの構成について説明する。この無線通信システムでは、上記態様２及び／又は態様３に係る無線通信方法が適用される。
【００９８】
図８は、本実施の形態に係る無線通信システムの一例を示す概略構成図である。図８に示すように、無線通信システム１は、複数の無線基地局１０（１１および１２）と、各無線基地局１０によって形成されるセル内にあり、各無線基地局１０と通信可能に構成された複数のユーザ端末２０と、を備えている。無線基地局１０は、それぞれ上位局装置３０に接続され、上位局装置３０を介してコアネットワーク４０に接続される。
【００９９】
図８において、無線基地局１１は、たとえば相対的に広いカバレッジを有するマクロ基地局で構成され、マクロセルＣ１を形成する。無線基地局１２は、局所的なカバレッジを有するスモール基地局で構成され、スモールセルＣ２を形成する。なお、無線基地局１１および１２の数は、図８に示す数に限られない。
【０１００】
マクロセルＣ１およびスモールセルＣ２では、同一の周波数帯が用いられても良いし、異なる周波数帯が用いられても良い。また、無線基地局１１および１２は、基地局間インターフェース（たとえば、光ファイバ、Ｘ２インターフェース）を介して互いに接続される。
【０１０１】
無線基地局１１と無線基地局１２との間、無線基地局１１と他の無線基地局１１との間または無線基地局１２と他の無線基地局１２との間では、デュアルコネクティビティ（ＤＣ）またはキャリアアグリゲーション（ＣＡ）が適用される。
【０１０２】
ユーザ端末２０は、ＬＴＥ、ＬＴＥ−Ａなどの各種通信方式に対応した端末であり、移動通信端末だけでなく固定通信端末を含んでいても良い。ユーザ端末２０は、無線基地局１０を経由して他のユーザ端末２０と通信を実行できる。
【０１０３】
上位局装置３０には、たとえば、アクセスゲートウェイ装置、無線ネットワークコントローラ（ＲＮＣ）、モビリティマネジメントエンティティ（ＭＭＥ）等が含まれるが、これに限定されるものではない。
【０１０４】
無線通信システム１では、下りリンクのチャネルとして、各ユーザ端末２０で共有される下り共有チャネル（ＰＤＳＣＨ：Physical  Downlink  Shared  Channel）、下り制御チャネル（ＰＤＣＣＨ：Physical  Downlink  Control  Channel、ＥＰＤＣＣＨ：Enhanced  Physical  Downlink  Control  Channel）、報知チャネル（ＰＢＣＨ：Physical  Broadcast  Channel）などが用いられる。ＰＤＳＣＨにより、ユーザデータや上位レイヤ制御情報、所定のＳＩＢ（System  Information  Block）が伝送される。ＰＤＣＣＨ、ＥＰＤＣＣＨにより、下り制御情報（ＤＣＩ：Downlink  Control  Information）が伝送される。また、ＰＢＣＨにより、同期信号や、ＭＩＢ（Master  Information  Block）などが伝送される。
【０１０５】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）などが用いられる。ＰＵＳＣＨにより、ユーザデータや上位レイヤ制御情報が伝送される。
【０１０６】
図９は、本実施の形態に係る無線基地局１０の全体構成図である。無線基地局１０は、ＭＩＭＯ伝送のための複数の送受信アンテナ１０１と、アンプ部１０２と、送受信部１０３（送信部）と、ベースバンド信号処理部１０４と、呼処理部１０５と、インターフェース部１０６とを備えている。
【０１０７】
下りリンクにより無線基地局１０からユーザ端末２０に送信されるユーザデータは、上位局装置３０からインターフェース部１０６を介してベースバンド信号処理部１０４に入力される。
【０１０８】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、たとえば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【０１０９】
ベースバンド信号処理部１０４は、ＭＡＣレイヤのシグナリング、物理レイヤのシグナリングまたはＲＲＣシグナリングを含む上位レイヤシグナリングにより、ユーザ端末２０に対して、当該セルにおける通信のための制御情報を通知する。この制御情報には、たとえば、ＴＤＤセルで利用するＤＬサブフレームおよびＵＬサブフレーム構成に関する情報が含まれる。
【０１１０】
各送受信部１０３は、ベースバンド信号処理部１０４からアンテナごとにプリコーディングして出力された下り信号を無線周波数帯に変換する。アンプ部１０２は、周波数変換された無線周波数信号を増幅して送受信アンテナ１０１により送信する。
【０１１１】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【０１１２】
各送受信部１０３は、拡張Ｄｙｎａｍｉｃ  ＴＤＤセルで利用するＤＬサブフレームおよびＵＬサブフレーム構成に関する情報を含む制御情報をＭＡＣレイヤのシグナリングで送信する送信部として機能する。
【０１１３】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、インターフェース部１０６を介して上位局装置３０に転送される。呼処理部１０５は、通信チャネルの設定や解放などの呼処理や、無線基地局１０の状態管理や、無線リソースの管理を行う。
【０１１４】
インターフェース部１０６は、基地局間インターフェース（たとえば、光ファイバ、Ｘ２インターフェース）を介して隣接無線基地局と信号を送受信（バックホールシグナリング）する。あるいは、インターフェース部１０６は、所定のインターフェースを介して、上位局装置３０と信号を送受信する。
【０１１５】
図１０は、本実施の形態に係る無線基地局１０が有するベースバンド信号処理部１０４の主な機能構成図である。図１０に示すように、無線基地局１０が有するベースバンド信号処理部１０４は、制御部３０１と、ＤＬ信号生成部３０２と、サブフレーム構成選択部３０３（選択部）と、マッピング部３０４と、ＵＬ信号復号部３０５と、判定部３０６と、を少なくとも含んで構成されている。本実施の形態に係る無線基地局１０はＦＤＤセルであるプライマリセルを形成するものとするが、これに限られない。
【０１１６】
制御部３０１は、ＰＤＳＣＨで送信される下りユーザデータ、ＰＤＣＣＨと拡張ＰＤＣＣＨ（ＥＰＤＣＣＨ）の両方、またはいずれか一方で伝送される下り制御情報、下り参照信号などのスケジューリングを制御する。また、制御部３０１は、ＰＲＡＣＨで伝送されるＲＡプリアンブル、ＰＵＳＣＨで伝送される上りデータ、ＰＵＣＣＨまたはＰＵＳＣＨで伝送される上り制御情報、上り参照信号のスケジューリングの制御（割り当て制御）も行う。割り当て制御に関する情報は、下り制御信号（ＤＣＩ）を用いてユーザ端末２０に通知される。
【０１１７】
制御部３０１は、上位局装置３０からの指示情報や各ユーザ端末２０からのフィードバック情報に基づいて、下りリンク信号および上りリンク信号に対する無線リソースの割り当てを制御する。つまり、制御部３０１は、スケジューラとしての機能を有している。制御部３０１は、決定したスケジューリング結果に従って各部の制御を行う。
【０１１８】
制御部３０１は、ユーザ端末２０がセカンダリセル（ＳＣＣ）のＤｙｎａｍｉｃ  ＴＤＤキャリアに接続する場合には、サブフレーム構成選択部３０３で選択されたＤＬサブフレームおよびＵＬサブフレームの構成に基づいて、各サブフレームに対するＤＬ信号およびＵＬ信号の割り当てを制御する（態様１）。
【０１１９】
また、制御部３０１は、ユーザ端末２０がセカンダリセル（ＳＣＣ）の拡張Ｄｙｎａｍｉｃ  ＴＤＤキャリアに接続する場合には、本実施の形態に係る態様２でＵＬ  ＨＡＲＱのスケジューリングを、態様３でＤＬ  ＨＡＲＱのスケジューリングを実施する。
【０１２０】
具体的には、制御部３０１は、拡張Ｄｙｎａｍｉｃ  ＴＤＤセルのＰＵＳＣＨ再送及びセル固有のＤＬ信号を受信するＤＬサブフレーム（セル固有ＤＬサブフレーム）のタイミングが衝突しないようにＵＬ  ＨＡＲＱスケジューリングを制御する（態様２）。
【０１２１】
例えば、制御部３０１は、ユーザ端末２０が、セル固有ＤＬサブフレームをＵＬ再送と衝突しないタイミングで送信するようにスケジューリングしても良い（態様２．１）。また、制御部３０１は、ユーザ端末２０が、ＵＬ再送タイミングを、セル固有ＤＬサブフレームと衝突しないタイミングに変更するように制御しても良い（態様２．２）。また、制御部３０１は、ユーザ端末２０が、ＵＬ再送を、指定されたセルで送信するようにスケジューリングしても良い（態様２．３）。また、制御部３０１は、ユーザ端末２０が、拡張Ｄｙｎａｍｉｃ  ＴＤＤセルでＵＬ  ＨＡＲＱをサポートしない（無効とする）ように制御しても良い（態様２．４）。
【０１２２】
なお、制御部３０１は、拡張Ｄｙｎａｍｉｃ  ＴＤＤに係るＵＬ  ＨＡＲＱのスケジューリングについては、態様２．１−態様２．４のいずれか１つを用いて制御しても良いし、態様２．１−態様２．３の組み合わせを用いて制御しても良い。
【０１２３】
さらに、制御部３０１は、ユーザ端末２０が、拡張Ｄｙｎａｍｉｃ  ＴＤＤセルのＤＬサブフレームに対する送達確認信号（ＨＡＲＱ−ＡＣＫ）をプライマリセル以外へ送信するようにＤＬ  ＨＡＲＱスケジューリングを制御する（態様３）。
【０１２４】
例えば、制御部３０１は、ユーザ端末２０が、ＨＡＲＱ−ＡＣＫを拡張Ｄｙｎａｍｉｃ  ＴＤＤセルのＰＵＳＣＨで送信するようにスケジューリングしても良い（態様３．１）。また、制御部３０１は、ユーザ端末２０が、ＨＡＲＱ−ＡＣＫを所定のセルのＰＵＣＣＨで送信するようにスケジューリングしても良い（態様３．２）。また、制御部３０１は、ユーザ端末２０が、拡張Ｄｙｎａｍｉｃ  ＴＤＤセルでＤＬ  ＨＡＲＱをサポートしない（無効とする）ように制御しても良い（態様３．３）。
【０１２５】
なお、制御部３０１は、拡張Ｄｙｎａｍｉｃ  ＴＤＤに係るＤＬ  ＨＡＲＱのスケジューリングについては、態様３．１−態様３．３のいずれか１つを用いても良いし、態様３．１及び態様３．２の組み合わせを用いて制御しても良い。
【０１２６】
ＤＬ信号生成部３０２は、制御部３０１により割り当てが決定された下り制御信号や下りデータ信号、下り参照信号などを生成する。具体的には、ＤＬ信号生成部３０２は、制御部３０１からの指示に基づいて、ＤＬ信号の割り当てを通知するＤＬアサインメントおよびＵＬ信号の割り当てを通知するＵＬグラントを生成する。また、ＤＬ信号生成部３０２は、サブフレーム構成選択部３０３で選択されたサブフレーム構成に関する情報を生成する。
【０１２７】
また、ＤＬ信号生成部３０２は、ユーザ端末２０が拡張Ｄｙｎａｍｉｃ  ＴＤＤキャリアについて実施するＵＬ  ＨＡＲＱ及び／又はＤＬ  ＨＡＲＱのスケジューリングに関する情報を生成する。なお、当該スケジューリングに関する情報は、（Ｅ）ＰＤＣＣＨを用いて通知するための下りリンク制御情報（ＤＣＩ）として生成しても良いし、上位レイヤシグナリング（ＲＲＣシグナリング、報知信号など）により通知するための情報として生成しても良い。
【０１２８】
サブフレーム構成選択部３０３は、トラフィックなどを考慮してセカンダリセルの拡張Ｄｙｎａｍｉｃ  ＴＤＤで利用するサブフレーム構成を選択する。
【０１２９】
マッピング部３０４は、制御部３０１からの指示に基づいて、ＤＬ信号生成部３０２で生成された下り制御信号と下りデータ信号の無線リソースへの割り当てを制御する。
【０１３０】
ＵＬ信号復号部３０５は、上り制御チャネルでユーザ端末から送信された送達確認信号などのフィードバック信号を復号し、制御部３０１へ出力する。ＵＬ信号復号部３０５は、上り共有チャネルでユーザ端末から送信された上りデータ信号を復号し、判定部３０６へ出力する。
【０１３１】
判定部３０６は、ＵＬ信号復号部３０５の復号結果に基づいて、再送制御判定を行うとともにその結果を制御部３０１へ出力する。
【０１３２】
図１１は、本実施の形態に係るユーザ端末２０の全体構成図である。図１１に示すように、ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５と、を備えている。
【０１３３】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理などがなされる。この下りリンクのデータのうち、下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１３４】
一方、上りリンクのユーザデータについては、アプリケーション部２０５からベースバンド信号処理部２０４に入力される。ベースバンド信号処理部２０４では、再送制御（ＨＡＲＱ：Ｈｙｂｒｉｄ  ＡＲＱ）の送信処理や、チャネル符号化、プリコーディング、ＤＦＴ処理、ＩＦＦＴ処理などが行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１３５】
送受信部２０３は、ユーザ端末２０がセカンダリセルである拡張Ｄｙｎａｍｉｃ  ＴＤＤセルと接続する場合に、プライマリセルから送信されるＤｙｎａｍｉｃ  ＴＤＤセルのサブフレーム構成の動的な指示を含む制御情報を受信する受信部として機能する。また、送受信部２０３は、上記制御情報に基づいて制御される拡張Ｄｙｎａｍｉｃ  ＴＤＤセルのＨＡＲＱ（ＵＬ  ＨＡＲＱ、ＤＬ  ＨＡＲＱ）のスケジューリングに関する情報を受信する受信部として機能する。なお、当該スケジューリングに関する情報も制御情報といえるため、これらをまとめて制御情報として無線基地局１０及びユーザ端末２０で扱う。
【０１３６】
図１２は、ユーザ端末２０が有するベースバンド信号処理部２０４の主な機能構成図である。図１２に示すように、ユーザ端末２０が有するベースバンド信号処理部２０４は、ＤＬ信号復号部４０１と、サブフレーム構成判断部４０２と、判定部４０３と、制御部４０４と、ＵＬ信号生成部４０５と、マッピング部４０６と、を少なくとも含んで構成されている。
【０１３７】
ＤＬ信号復号部４０１は、下り制御チャネルで送信された下り制御信号を復号し、スケジューリング情報を制御部４０４へ出力する。ＤＬ信号復号部４０１は、下り共有チャネルで送信された下りデータ信号を復号し、判定部４０３へ出力する。
【０１３８】
サブフレーム構成判断部４０２は、プライマリセル（無線基地局１０）から通知されるセカンダリセルの拡張Ｄｙｎａｍｉｃ  ＴＤＤセルのＤＬサブフレームおよびＵＬサブフレームに関する制御情報を判断する。サブフレーム構成判断部４０２は、拡張Ｄｙｎａｍｉｃ  ＴＤＤセルのＤＬサブフレームおよびＵＬサブフレームに関する情報を制御部４０４へ出力する（態様１）。サブフレーム構成判断部４０２と制御部４０４は、本実施の形態に係るユーザ端末の制御部を構成する。
【０１３９】
判定部４０３は、ＤＬ信号復号部４０１の復号結果に基づいて、再送制御判定を行うとともに、その結果を制御部４０４へ出力する。例えば、受信したＰＤＳＣＨをＤＬ信号復号部４０１が正しく復号できた場合は、当該ＰＤＳＣＨに対する再送は不要である旨を制御部４０４へ出力する。
【０１４０】
制御部４０４は、無線基地局１０から送信された下り制御信号（ＰＤＣＣＨ信号）や、受信したＰＤＳＣＨ信号に対する再送制御判定結果に基づいて、上り制御信号（ＨＡＲＱ−ＡＣＫなど）や上りデータ信号の生成を制御する。
【０１４１】
制御部４０４は、サブフレーム構成判断部４０２から出力される拡張Ｄｙｎａｍｉｃ  ＴＤＤセルのＤＬサブフレームおよびＵＬサブフレーム構成に関する情報に基づいて、上りリンク信号（上り制御信号、上りデータ信号、上り参照信号）の送信及び下りリンク信号（下り制御信号、下りデータ信号、下り参照信号）を制御する。制御部４０４は、プライマリセル（無線基地局１０）からの指示に基づいて、たとえばメジャメント、ＣＳＩ測定、ＲＡＣＨ送信、ＵＣＩフィードバックまたはサウンディングなどの拡張Ｄｙｎａｍｉｃ  ＴＤＤセルに対する動作を制御する。
【０１４２】
制御部４０４は、サブフレーム構成判断部４０２から出力される拡張Ｄｙｎａｍｉｃ  ＴＤＤセルのＤＬサブフレームおよびＵＬサブフレーム構成に関する情報や、プライマリセル（無線基地局１０）から通知される他のシグナリングに含まれる情報などの制御情報に基づいて、拡張Ｄｙｎａｍｉｃ  ＴＤＤセル固有のＤＬ信号（同期信号、測定用参照信号など）を受信するＤＬサブフレーム（セル固有ＤＬサブフレーム）と、拡張Ｄｙｎａｍｉｃ  ＴＤＤセルのＵＬサブフレームで送信した上りデータを再送し得るサブフレームと、が異なるサブフレームとなるように制御する（態様２）。
【０１４３】
具体的には、制御部４０４は、制御情報に基づいて、セル固有ＤＬサブフレームを、上りデータを再送し得るサブフレーム以外となるよう変更して制御することができる（態様２．１）。例えば、制御部４０４は、セル固有ＤＬサブフレームの周期に関する情報を含むシグナリングに基づいて、拡張Ｄｙｎａｍｉｃ  ＴＤＤセルから、上りデータの再送タイミングの周期の整数倍で、セル固有の下りリンク信号を受信するように制御しても良い。この場合、セル固有ＤＬサブフレームと上りデータの再送タイミングが同じサブフレームとならないように、ＤＬサブフレームの開始サブフレームにオフセットを指定しても良い。例えば、セル固有ＤＬサブフレームと、上りデータの再送タイミングとなるサブフレームとの最小間隔が、オフセットの値となるように制御しても良い。
【０１４４】
また、制御部４０４は、制御情報に基づいて、上りデータを再送するサブフレームを、セル固有ＤＬサブフレーム以外となるよう変更して制御することができる（態様２．２）。例えば、制御部４０４は、再送間隔に関する情報を含むシグナリングに基づいて、再送間隔（ＰＨＩＣＨ送信タイミング又はＰＵＳＣＨ送信タイミング）を変更しても良い。また、制御部４０４は、非同期ＨＡＲＱの適用に関する情報を含むシグナリングに基づいて、非同期ＨＡＲＱを適用しても良い。また、ＰＨＩＣＨによらず、ＰＤＣＣＨによってＵＬ再送を判断する構成としても良い。
【０１４５】
また、制御部４０４は、制御情報に基づいて、ＵＬ再送を、プライマリセルから指定されたセルで送信することができる（態様２．３）。例えば、制御部４０４は、再送に用いるセル（ＣＣ）に関する情報を含むシグナリングに基づいて、拡張Ｄｙｎａｍｉｃ  ＴＤＤセルと異なるセルに、上りデータの再送を行うように制御しても良い。
【０１４６】
また、制御部４０４は、拡張Ｄｙｎａｍｉｃ  ＴＤＤセルでＵＬ  ＨＡＲＱをサポートしない（無効とする）ように制御しても良い（態様２．４）。例えば、制御部４０４は、ＵＬ  ＨＡＲＱをサポートしないことに関する情報を含むシグナリングに基づいて、拡張Ｄｙｎａｍｉｃ  ＴＤＤセルでのＵＬ  ＨＡＲＱを無効としても良いし、シグナリングによらず予めＵＬ  ＨＡＲＱを無効とするように設定されていても良い。
【０１４７】
なお、制御部４０４は、拡張Ｄｙｎａｍｉｃ  ＴＤＤに係るＵＬ  ＨＡＲＱのスケジューリングについては、態様２．１−態様２．４のいずれか１つを用いて制御しても良いし、態様２．１−態様２．３の組み合わせを用いて制御しても良い。
【０１４８】
さらに、制御部４０４は、サブフレーム構成判断部４０２から出力される拡張Ｄｙｎａｍｉｃ  ＴＤＤセルのＤＬサブフレームおよびＵＬサブフレーム構成に関する情報や、プライマリセル（無線基地局１０）から通知される他のシグナリングに含まれる情報などの制御情報に基づいて、拡張Ｄｙｎａｍｉｃ  ＴＤＤセルのＤＬサブフレームに対する送達確認信号（ＨＡＲＱ−ＡＣＫ）をプライマリセル以外へ送信するように制御する（態様３）。
【０１４９】
具体的には、制御部４０４は、制御情報に基づいて、ＨＡＲＱ−ＡＣＫを拡張Ｄｙｎａｍｉｃ  ＴＤＤセルのＰＵＳＣＨを用いて上りデータとして送信するように制御することができる（態様３．１）。例えば、制御部４０４は、ＰＣＣからＳＣＣへの下りスケジューリング（クロスキャリアスケジューリング）と同時に通知されたＵＬ  ｇｒａｎｔ相当のシグナリングに基づいて、ＨＡＲＱ−ＡＣＫを拡張Ｄｙｎａｍｉｃ  ＴＤＤセルのＰＵＳＣＨで送信するように制御しても良い。また、制御部４０４は、ＨＡＲＱ−ＡＣＫ送信用のリソースブロックに関する情報を含むシグナリングに基づいて、ＵＬ  ｇｒａｎｔなしに、ＨＡＲＱ−ＡＣＫを拡張Ｄｙｎａｍｉｃ  ＴＤＤセルの所定のサブフレームのＰＵＳＣＨで送信するように制御しても良い。なお、シグナリングに基づいて、ＨＡＲＱ−ＡＣＫを拡張Ｄｙｎａｍｉｃ  ＴＤＤセル以外のセルのＰＵＳＣＨで送信するように制御する構成としても良い。
【０１５０】
また、制御部４０４は、制御情報に基づいて、ＨＡＲＱ−ＡＣＫを所定のセルのＰＵＣＣＨを用いて上り制御信号として送信するように制御することができる（態様３．２）。例えば、制御部４０４は、ＨＡＲＱ−ＡＣＫをＰＵＣＣＨで送信するセル（ＣＣ）に関する情報を含むシグナリングに基づいて、ＨＡＲＱ−ＡＣＫを所定のセルのＰＵＣＣＨで送信するように制御しても良い。
【０１５１】
また、制御部４０４は、拡張Ｄｙｎａｍｉｃ  ＴＤＤセルでＤＬ  ＨＡＲＱをサポートしない（無効とする）ように制御しても良い（態様３．３）。例えば、制御部４０４は、ＤＬ  ＨＡＲＱをサポートしないことに関する情報を含むシグナリングに基づいて、拡張Ｄｙｎａｍｉｃ  ＴＤＤセルでのＤＬ  ＨＡＲＱを無効としても良いし、シグナリングによらず予めＤＬ  ＨＡＲＱを無効とするように設定されていても良い。
【０１５２】
なお、制御部４０４は、拡張Ｄｙｎａｍｉｃ  ＴＤＤに係るＤＬ  ＨＡＲＱのスケジューリングについては、態様３．１−態様３．３のいずれか１つを用いても良いし、態様３．１及び態様３．２の組み合わせを用いて制御しても良い。
【０１５３】
ＵＬ信号生成部４０５は、制御部４０４からの指示に基づいて、たとえば送達確認信号やフィードバック信号などの上り制御信号を生成する。ＵＬ信号生成部４０５は、制御部４０４からの指示に基づいて、上りデータ信号や、上りデータ信号の再送信号を生成する。また、上り参照信号を生成しても良い。拡張Ｄｙｎａｍｉｃ  ＴＤＤセルの構成としてＤＬ  ｏｎｌｙ  ｃａｒｒｉｅｒが設定される場合には、ＵＬ信号生成部４０５は、上りデータ信号の生成は行わずに、ＤＬ信号に対する上り制御信号を生成する。
【０１５４】
マッピング部４０６は、制御部４０４からの指示に基づいて、上り制御信号と上りデータ信号の無線リソースへの割り当てを制御する。
【０１５５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１５６】
１…無線通信システム
１０、１１、１２…無線基地局
２０…ユーザ端末
３０…上位局装置
４０…コアネットワーク
１０１…送受信アンテナ
１０２…アンプ部
１０３…送受信部（送信部）
１０４…ベースバンド信号処理部
１０５…呼処理部
１０６…インターフェース部
２０１…送受信アンテナ
２０２…アンプ部
２０３…送受信部（受信部）
２０４…ベースバンド信号処理部
２０５…アプリケーション部
３０１…制御部
３０２…ＤＬ信号生成部
３０３…サブフレーム構成選択部（選択部）
３０４…マッピング部
３０５…ＵＬ信号復号部
３０６…判定部
４０１…ＤＬ信号復号部
４０２…サブフレーム構成判断部（制御部）
４０３…判定部
４０４…制御部（制御部）
４０５…ＵＬ信号生成部
４０６…マッピング部
【図１】
2015133635.tif 000003
【図２】
2015133635.tif 000004
【図３】
2015133635.tif 000005
【図４】
2015133635.tif 000006
【図５】
2015133635.tif 000007
【図６】
2015133635.tif 000008
【図７】
2015133635.tif 000009
【図８】
2015133635.tif 000010
【図９】
2015133635.tif 000011
【図１０】
2015133635.tif 000012
【図１１】
2015133635.tif 000013
【図１２】
2015133635.tif 000014